(57)【要約】      （修正有）【課題】街路灯の周辺を、隣接街路灯の死角監視用カメラで撮像でき、通行人の特徴を視認可能で、また環境光の影響を考慮して照明部の各ＬＥＤからの光量を制御することで、死角監視用カメラによって街路灯の周辺を鮮明な画像で撮像可能な街中監視システムおよびそれ用の街路灯を提供する。【解決手段】各街路灯１１は、複数のＬＥＤを光源として支柱１２の周辺を照らす照明部Ｌと、各ＬＥＤの少なくとも照度を制御する調光器とを備える。照明部Ｌは、縦長な固定基材に各ＬＥＤが配設されたＬＥＤライン照明具と、支柱の外周部にＬＥＤライン照明具を覆うように設けられ、かつ各ＬＥＤの光を乱反射する半透明な照明具カバーとを有する。各街路灯１１は監視カメラ１３Ａ、１３Ｂ、２９を複数有し、その１つが隣接する街路灯１１の周辺を撮像する死角監視用カメラ２９で、街路灯１１の調光器は、死角監視用カメラ２９により撮像した画像が鮮明になる照度に複数のＬＥＤを制御する。【選択図】図１
0003201743.tif 000002
【実用新案登録請求の範囲】
【請求項１】
街路に沿って、複数の街路灯が離間配置され、かつそれぞれの街路灯の支柱の上部に設けた監視カメラにより街中の一区画をそれぞれ撮像し、これらの撮像データを監視制御ステーションに送信して前記街中の監視を行う街中監視システムであって、
前記それぞれの街路灯は、前記支柱の外周部に設けられ、かつ複数のＬＥＤを光源として前記支柱の周辺を照らす照明部と、前記複数のＬＥＤの少なくとも照度を制御する調光器とを備え、
前記照明部は、縦長な固定基材に、その長さ方向に所定間隔で前記複数のＬＥＤが配設されたＬＥＤライン照明具と、前記支柱の外周部に前記ＬＥＤライン照明具を覆うように設けられ、かつ前記複数のＬＥＤからの光を乱反射させる半透明な照明具カバーとを有し、
前記それぞれの街路灯は前記監視カメラを複数有し、かつそのうちの１つは、隣接する前記街路灯の周辺を撮像する死角監視用カメラで、
前記それぞれの街路灯の調光器は、前記死角監視用カメラにより撮像した画像が鮮明になる照度に、前記複数のＬＥＤを個別に制御する街中監視システム。
【請求項２】
それぞれの前記ＬＥＤは、ＲＧＢ３色の発光により任意の色彩が得られるフルカラーＬＥＤで、
それぞれの前記調光器は、対応する前記フルカラーＬＥＤの照度および色彩を制御するもので、
前記監視制御ステーションには、前記それぞれの調光器を、所定のＬＥＤ発光演出パターンに則って制御するＬＥＤ制御装置を有した請求項１に記載の街中監視システム。
【請求項３】
街路に立設される支柱と、
該支柱の上部に取り付けられ、かつ街中の一区画を撮像する監視カメラと、
前記支柱の外周部に設けられ、複数のＬＥＤを光源として前記支柱の周辺を照らす照明部と、
前記複数のＬＥＤの少なくとも照度を制御する調光器とを備えた街路灯であって、
前記照明部は、
縦長な固定基材に、その長さ方向に所定間隔で前記複数のＬＥＤが配設されたＬＥＤライン照明具と、
前記支柱の外周部に前記ＬＥＤライン照明具を覆うように設けられ、かつ前記複数のＬＥＤからの光を乱反射させる半透明な照明具カバーとを有した街路灯。
【請求項４】
前記複数のＬＥＤは、ＲＧＢ３色の発光により任意の色彩が得られるフルカラーＬＥＤで、
前記調光器は、前記複数のフルカラーＬＥＤの照度および色彩を制御するものである請求項３に記載の街路灯。
【考案の詳細な説明】
【技術分野】
【０００１】
この考案は、街中監視システムおよびそれ用の街路灯、詳しくは街路に沿って立設される複数の街路灯を利用し、各街路灯に配設された監視カメラにより街中を監視する街中監視システムおよびそれ用の街路灯に関する。
【背景技術】
【０００２】
従来、監視カメラを搭載した複数の街路灯を利用し、街中を監視する街中監視システムとして、例えば特許文献１の「多機能化街灯ネットワーク・システム」に記載されたものが知られている。
これは、所定地域の道路に沿って配置される複数の街灯（街路灯）に、その地域の一区画を撮像する監視用カメラを実装し、街灯ネットワークを介して監視・制御センターにより地域の群管理を行い、監視制御や情報の送受信を行うようにしたものである。これにより、街灯を利用して監視制御や情報の送受信基地化が図れ、その結果、地域の防犯性を高めることができる。
【先行技術文献】
【特許文献】
【０００３】
【特許文献１】特開２０００−２５１５０２号公報
【考案の概要】
【考案が解決しようとする課題】
【０００４】
しかしながら、特許文献１の「多機能化街灯ネットワーク・システム」では、このように監視用カメラにより監視できるのは特定地域の一区画のみであった。そのため、例えば街灯の周辺（直下付近）は死角となり、ここで発生した犯罪は見逃されてしまうおそれがあった。
そこで、これを回避するため、例えば、街灯の上部に、撮像方向を水平線より下に向けた死角監視用カメラを設置することが考えられる。しかしながら、この方法では頭上からの現場の画像（動画像）のみしか得られず、犯人の捜査時に重要となる犯人の顔、身長および服装などの特徴を視認することはむずかしい。
また、このように死角監視用カメラを採用した場合であっても、街灯の近くに例えば店舗や自動販売機といった光量が大きい別の光源があった（自動車のヘッドライトなども）場合、死角監視用カメラのレンズにはそれからの光（環境光）も入るため、この環境光が悪影響を及ぼして画像の一部にハレーションが発生し、街灯の周辺の状況を鮮明な画像で撮像できないおそれがあった。
【０００５】
そこで、考案者は鋭意研究の結果、複数のＬＥＤを光源とした照明部を有する街路灯（街灯）の上方位置に監視カメラを複数設け、各監視カメラは、隣接する街路灯の周辺を撮像する死角監視用カメラとして隣接監視カメラの死角をなくす構成するとともに、その隣接する街路灯の照明部の各ＬＥＤ（の光量）を、調光器を用いて、死角監視用カメラにより撮像した画像が鮮明になる照度となるように制御（調光）すれば、上述した全ての課題は解消されることを知見し、この考案を完成させた。
【０００６】
この考案は、街路灯の周辺を、隣接する街路灯の死角監視用カメラを用いて側方から撮像することができ、これにより犯人を含む通行人の顔、身長および服装などの特徴を視認可能で、また環境光の影響を考慮して照明部の各ＬＥＤからの光量を制御することで、死角監視用カメラによって街路灯の周辺を鮮明な画像で撮像することができる街中監視システムおよびそれ用の街路灯を提供することを目的としている。
【課題を解決するための手段】
【０００７】
請求項１に記載の考案は、街路に沿って、複数の街路灯が離間配置され、かつそれぞれの街路灯の支柱の上部に設けた監視カメラにより街中の一区画をそれぞれ撮像し、これらの撮像データを監視制御ステーションに送信して前記街中の監視を行う街中監視システムであって、前記それぞれの街路灯は、前記支柱の外周部に設けられ、かつ複数のＬＥＤを光源として前記支柱の周辺を照らす照明部と、前記複数のＬＥＤの少なくとも照度を制御する調光器とを備え、前記照明部は、縦長な固定基材に、その長さ方向に所定間隔で前記複数のＬＥＤが配設されたＬＥＤライン照明具と、前記支柱の外周部に前記ＬＥＤライン照明具を覆うように設けられ、かつ前記複数のＬＥＤからの光を乱反射させる半透明な照明具カバーとを有し、前記それぞれの街路灯は前記監視カメラを複数有し、かつそのうちの１つは、隣接する前記街路灯の周辺を撮像する死角監視用カメラで、前記それぞれの街路灯の調光器は、前記死角監視用カメラにより撮像した画像が鮮明になる照度に、前記複数のＬＥＤを個別に制御する街中監視システムである。
【０００８】
請求項１に記載の考案によれば、各街路灯の監視カメラにより街中の一区画を撮像し、これらの撮像データを監視制御ステーションに送信することで、このステーション内で街中の監視を総括して行うことができる。その際、各街路灯の死角監視用カメラが、隣接する街路灯の死角となる、街路灯の直下を含む周辺を撮像し、得られた撮像データも監視制御ステーションに送信されるため、死角領域のない街中の監視を行うことができる。また、このように街路灯の周辺を死角監視用カメラにより側方から撮像することで、犯人を含む通行人の顔、身長および服装などの特徴を視認し易くなる。
さらに、各街路灯の周辺の撮像に際しては、あらかじめ環境光などの影響を考慮し、調光器を用いて、死角監視用カメラから得られる画像が鮮明となるように、照明部の各ＬＥＤからの光量を個別に制御（調光）しておく。これにより、死角監視用カメラにより撮像した画像は、ハレーション等や暗がりがない鮮明なものとなる。
【０００９】
ここでいう街中監視システムとは、例えば防犯、防災、避難状況、商店街やイベント会場などの賑わい状況、迷子の捜索、徘徊者の捜索、交通渋滞の状況、事故状況などを目的として、監視カメラにより所定地域（街中）の一区画（エリア）を撮像し、その画像（静止画像または動画像）を撮影場所から離れた監視制御ステーションに有線または無線により送信し、そこで例えば監視員がモニタ画面に映った画像から街中で発生した異常を視認し、その異常事態を警察署や消防署に通報するというシステムである。
街路としては、例えば街中に整備された車道、歩道などをいう。
街路灯の種類は任意である。例えば、商業電源から得られた電気によりＬＥＤ（発光ダイオード）の発光や監視カメラを作動させるものを採用することができる。その他、支柱の上部に設けた太陽電池で電力を得るものでもよい。
【００１０】
街路灯の支柱には動体検知センサを設けることで、歩道を人間が歩いたり、車道を車両が通過する際に自動的に照明部を点灯させるようにしてもよい。
その他、街路灯の支柱には、例えば警報音、音声などを発するスピーカ、街路灯の直下を照らす歩道照明灯、旗用アーム、装飾吊りリング（アイボルト）、非常用コンセントを配設してもよい。また、支柱の下部の外周面に貼紙防止塗装を施してもよい。
監視カメラの種類としては、例えば、ＣＣＤカメラ、ＣＭＯＳカメラ、暗視カメラなどを採用することができる。
【００１１】
ここでいう監視カメラが撮像する街中の一区画とは、例えば歩道や車道の一区画のほか、街路に沿って設置された店舗、住宅、ビル、マンション、公共施設、駅、駐車場、公園などの一区画が挙げられる。
監視制御ステーションとしては、例えば街中に建造した専用建物でも、その街中から遠く離れ場所に設置された建物の一室でもよい。街中から離れた場合の画像送信ツールとしては、例えばインターネットなどの通信回線網を採用することができる。
１つの街路灯に配設される監視カメラの数は、２つ以上であれば任意である。そのうちの１つが死角監視用カメラとなる。なお、１つの街路灯に設けられる死角監視用カメラは複数でもよい。
死角監視カメラが監視するのは、隣接する街路灯に搭載された監視カメラが撮像できない（死角となる）、この隣接する街路灯の周辺領域である。また、当該死角領域を監視するのは、１つの街路灯の死角監視カメラだけでなく、複数の街路灯の各死角監視カメラでもよい。
ＬＥＤ（発光ダイオード）の色は限定されない。例えば、赤ＬＥＤ、青ＬＥＤ、黄ＬＥＤ、白ＬＥＤ、橙ＬＥＤ、緑ＬＥＤ、ピンクＬＥＤの他、フルカラーＬＥＤを採用することができる。
【００１２】
支柱の高さ方向における照明部の形成領域は任意であるものの、支柱の下部から高さ方向の中間部の領域とした方が、街路の通行人の視界を照らすには好適である。その場合、照明部の形成領域は支柱の下部のみでも、支柱の高さ方向の中間部のみでもよい。また、支柱の下部から中間部にわたる一部領域またはその全領域でもよい。さらに、支柱の周方向における照明部の形成領域としては、支柱の周方向の一部でも、好ましい全周でもよい。
ＬＥＤライン照明具としては、例えば全色型光軽減発光ＬＥＤなどの各種の帯状ＬＥＤライトを採用することができる。
ＬＥＤライン照明具の使用数は任意である。１つでも複数でもよい。具体的には、街路の長さ方向の一方を照らす前側ＬＥＤライン照明具と、街路の長さ方向の他方を照らす後側ＬＥＤライン照明具とから構成してもよい。
【００１３】
ＬＥＤライン照明具の固定基材としては、例えば各種の合成樹脂または各種の金属からなる板材、管材などを採用することができる。また、固定基材は、湾曲自在なものでも、剛体でもよい。
固定基材の長さ方向におけるＬＥＤの設置間隔は任意である。ただし、一定ピッチ（等間隔）が好ましい。例えば数ｃｍピッチである。
照明具カバーの素材としては、例えば、アクリル、ポリカーボネートなどの各種の合成樹脂を採用することができる。この素材に例えばオパール色の微粉末を所定量添加して混練することで、光を乱反射させる白濁カバーとしたものが好ましい。
ＬＥＤライン照明具として、前側ＬＥＤライン照明具と後側ＬＥＤライン照明具とを採用した場合の照明具カバーは、前側ＬＥＤライン照明具を覆う樋状の前側半円カバーと、後側ＬＥＤライン照明具を覆う樋状の後側半円カバーとを採用することができる。
ここでいう調光器とは、複数のＬＥＤを個別に制御する調光回路を内蔵した電気機器（レシーバ）である。この調光器は、有線または無線を介して、例えば監視制御ステーションに配備された、複数の街路灯の調光器を制御する調光制御装置にデータ送信可能に接続されている。
調光器により制御されるものは、複数のＬＥＤの照度のほかに、例えば彩度などが挙げられる。彩度制御時には、色付きのＬＥＤが使用される。特にフルカラーＬＥＤが好ましい。
【００１４】
また、ここでいう「街路灯の調光器は、死角監視用カメラにより撮像した画像が鮮明になる照度に複数のＬＥＤを個別に制御する」とは、死角監視用カメラにより撮像された街路灯の周辺（街路灯の直下を含むその周り一帯：死角領域）の画像の一部に、過剰に明るい箇所や過剰に暗い箇所が発生しないように、各調光器に割り当てられた複数のＬＥＤの照度を個別に調光することをいう。
すなわち、街路灯の近くに例えば店舗や自動販売機といった光量が大きい別の光源があった場合、当該街路灯の周辺（死角領域）の一部には、通常の部分より光量が大きくなる箇所が現出することとなる。そのため、この死角領域の撮像を行う、隣接した街路灯の死角監視用カメラのレンズには、この別光源からの過剰な光（環境光）も入ってしまう。その結果、この環境光が悪影響を及ぼし、死角監視用カメラが撮像した画像の一部にハレーションが発生するおそれがあった。これとは反対に、例えば当該街路灯の周辺に撤去できない異物などが存在した場合、それが影響し、死角監視用カメラが撮像した画像の一部に過剰に暗い箇所が発現する場合があった。
【００１５】
そこで、この考案では、例えば街路灯の設置時に、あらかじめ街路灯の付近を死角監視用カメラによりテスト撮像し、例えば監視制御ステーションのモニタ画面を通して、この環境光が悪影響を及ぼして画像の一部にハレーションが発生したり、その反対に光量不足で暗くなった箇所がないかをチェックする。そのとき、画像に瑕疵があった場合には、街路灯の周辺の状況を鮮明な画像で撮像できるように、その街路灯の調光器を利用して各ＬＥＤの照度を個別に調整するように構成した。
調光器による各ＬＥＤの照度の調整方法としては、例えば、監視員がモニタ画面を見ながら、監視制御ステーションにおいてＬＥＤ制御装置を手動または自動で操作し、各ＬＥＤの照度を調整することができる。その他、現場において、作業者が対応する街路灯の調光器を操作して、個別に調光してもよい。
【００１６】
また、請求項２に記載の考案は、それぞれの前記ＬＥＤは、ＲＧＢ３色の発光により任意の色彩が得られるフルカラーＬＥＤで、それぞれの前記調光器は、対応する前記フルカラーＬＥＤの照度および色彩を制御するもので、前記監視制御ステーションには、前記それぞれの調光器を、所定のＬＥＤ発光演出パターンに則って制御するＬＥＤ制御装置を有した請求項１に記載の街中監視システムである。
【００１７】
請求項２に記載の考案によれば、ＬＥＤとしてフルカラーＬＥＤを採用し、これらを監視制御ステーションのＬＥＤ制御装置を用いて制御することにより、例えば、各街路灯の照明部のフルカラーＬＥＤを、照度や彩度が変化する所定のＬＥＤ発光演出パターンに則って発光させ、街路に沿ってイルミネーションの演出を行うことができる。
【００１８】
フルカラーＬＥＤとは、赤（Ｒ）緑（Ｇ）青（Ｂ）の３原色のＬＥＤがパッケージされたもので、各ＬＥＤに流す電流を調整することにより、フルカラーの色を表現することができる。
ここでの調光器は、照度のみでなく、彩度も調整可能なものが採用される。
ＬＥＤ制御装置とは、各街路灯の照明部に配されたＬＥＤに対して、明るさ、色などをあらかじめ設定した通りの演出パターンで発光させるように各調光器に指令するコントローラである。このときのＬＥＤ発光演出パターンは任意である。
また、ＬＥＤ制御装置は、街路灯の周辺の状況を、隣接する街路灯の死角監視用カメラによって撮像した画像が鮮明となるように、あらかじめ対応する街路灯の照明部の各ＬＥＤの照度を調光する機能を付加してもよい。
【００１９】
請求項３に記載の考案は、街路に立設される支柱と、該支柱の上部に取り付けられ、かつ街中の一区画を撮像する監視カメラと、前記支柱の外周部に設けられ、複数のＬＥＤを光源として前記支柱の周辺を照らす照明部と、前記複数のＬＥＤの少なくとも照度を制御する調光器とを備えた街路灯であって、前記照明部は、縦長な固定基材に、その長さ方向に所定間隔で前記複数のＬＥＤが配設されたＬＥＤライン照明具と、前記支柱の外周部に前記ＬＥＤライン照明具を覆うように設けられ、かつ前記複数のＬＥＤからの光を乱反射させる半透明な照明具カバーとを有した街路灯である。
【００２０】
請求項４に記載の考案は、前記複数のＬＥＤは、ＲＧＢ３色の発光により任意の色彩が得られるフルカラーＬＥＤで、前記調光器は、前記複数のフルカラーＬＥＤの照度および色彩を制御するものである請求項３に記載の街路灯である。
【考案の効果】
【００２１】
請求項１および請求項３に記載の考案によれば、各街路灯の監視カメラにより街中の一区画を撮像し、これらの撮像データを監視制御ステーションに送信することで、このステーション内で街中の監視を総括して行う。このとき、各街路灯の死角監視用カメラが、隣接する街路灯の死角となる周辺を撮像し、得られた撮像データも監視制御ステーションに送信されるため、死角領域のない街中の監視を行うことができる。また、監視カメラの死角となる街路灯の周辺を死角監視用カメラにより側方から撮像することで、犯人や通行人の顔、身長および服装などの特徴を視認できる。
さらに、死角となる街路灯の周辺の撮像に際しては、あらかじめ環境光などの影響を考慮し、照明部の各ＬＥＤからの光量を、死角監視用カメラから得られる画像が鮮明となるように調光器により個別に制御（調光）しておく。そのため、死角監視用カメラにより撮像した画像は、ハレーション等や暗がりがない鮮明なものとなる。
【００２２】
請求項２および請求項４に記載の考案によれば、各街路灯の照明部のＬＥＤライン照明具として、複数のフルカラーＬＥＤを配列したものを採用し、これらのフルカラーＬＥＤを監視制御ステーションのＬＥＤ制御装置を使用して制御する。具体的には、各街路灯の照明部のフルカラーＬＥＤを、経時的に照度や彩度が変化する所定のＬＥＤ発光演出パターンに則って発光させることによって、所望のイルミネーションの演出を行うことができる。
【図面の簡単な説明】
【００２３】
【図１】この考案の実施例１に係る街中監視システムの全体斜視図である。
【図２】この考案の実施例１に係る街路灯の斜視図である。
【図３】この考案の実施例１に係る街路灯の一部断面図を含む正面図である。
【図４】この考案の実施例１に係る街路灯の一部断面図を含む側面図である。
【図５】図２のＡ−Ａ断面図である。
【図６】この考案の実施例１に係る街路灯の電気回路のブロック図である。
【図７】この考案の実施例１に係る街中監視システムにおいて、街路灯の死角領域を隣接する街路灯の死角監視用カメラを利用して監視している状態を示す斜視図である。
【考案を実施するための形態】
【００２４】
以下、この考案の実施例を具体的に説明する。
【実施例】
【００２５】
図１において、１０はこの考案の実施例１に係る街中監視システムで、この街中監視システム１０は、商店街の街路に沿って、複数の街路灯１１が離間配置され、かつそれぞれの街路灯１１の支柱１２の上部に設けた、前側監視カメラ（監視カメラ）１３Ａと後側監視カメラ（監視カメラ）１３Ｂとによって街中の一区画をそれぞれ撮像し、これらの撮像データを監視制御ステーション１４に送信して、ここで画像管理しながら監視員により街中の監視を行うものである。
【００２６】
以下、これらの構成体を具体的に説明する。まず、街路灯１１を説明する。
図２〜図６に示すように、街路灯１１は、竪穴の底面に砕石が敷かれた円柱状のコンクリート基礎１５の上に、高さ６ｍ、直径約４０ｃｍの支柱１２が立設され、この支柱１２の高さ方向の中間部一帯に、ＲＧＢ３色の発光により任意の色彩が得られる複数のフルカラーＬＥＤ（ＬＥＤ）１６を光源として支柱１２の周辺を照らす照明部Ｌと、複数のフルカラーＬＥＤ１６の照度および彩度を制御する調光器１７とを備えている。
図２〜図５に示すように、支柱１２は、高さ１．５ｍ程度の支柱下部１８と、支柱下部１８の上面のうち、車道−歩道方向の両端部に平行に離間して立設された、高さ約４．５ｍの前−後方向に長い角形鋼管からなる一対の上部支柱材１９と、両上部支柱材１９の各対向面（内側面）のうち、前−後方向の両端部間を連結する一対の縦長な鋼板２０と、両上部支柱材１９の各外側面に両縁部が固着された溝形鋼からなる一対のカバー連結材２１と、両上部支柱材１９の上端部に横架された円形状の天板２３と、両上部支柱材１９の露出した上部を略３等分した高さ位置に配設されたそれぞれ前−後方向に一対配置された厚肉な円弧枠２４とを有している。
【００２７】
支柱下部１８の前側の下部には、作業蓋２５が設けられ、その奥に調光器１７が収納されている。また、支柱下部１８の前側の上部には、コンセントボックス２６が設けられている。
歩道側のカバー連結材２１の上部にはバナー２２を下げる旗竿２７が着脱自在に突設される。
また、歩道側の上部支柱材１９の下端部の歩道側面には、下から順にコンセントボックス２６と、平面視して矩形状の歩道照明２８とが配設されている。
さらに、歩道側の上部支柱材１９の下部の前側面には、街路（歩道および車道）の前方向を監視する前方監視カメラ１３Ａが取り付けられているとともに、歩道側の上部支柱材１９の下部の後側面には、街路の後方向を監視する後方監視カメラ１３Ｂが取り付けられている。
さらにまた、車両側の上部支柱材１９の高さ方向の中間部には、その車道側面に隣接する街路灯１１の周辺を撮像する死角監視用カメラ２９が取り付けられている。
下段の両円弧枠２４には一対のスピーカ３０が搭載されている。
また、上段および中段の各円弧枠２４の中間部の外面には、それぞれ連続旗などを連結するための複数のアイボルト３１が固着されている。また、歩道側の上部支柱材１９の歩道側面および車道側の上部支柱材１９の車道側面にも、各円弧枠２４のアイボルト３１の固着位置と同一の高さ位置にそれぞれ別のアイボルト３１が固着されている。
【００２８】
次に、図２〜図６を参照して、照明部Ｌについて詳しく説明する。
照明部Ｌは、両上部支柱材１９の下部からその高さ方向の中間部の領域に設けられている。その高さは約３ｍ、外径は約４０ｃｍである。
図２〜図６に示すように、この照明部Ｌは、前側の鋼板２０の前側面に、対峙する端面同士を付き合わせて固着された２本の縦長な前側ＬＥＤライン照明具（ＬＥＤライン照明具）３２と、後側の鋼板２０の後側面に、対峙する端面同士を付き合わせて固着された２本の縦長な後側ＬＥＤライン照明具（ＬＥＤライン照明具）３３と、各カバー連結材２１の前側面に幅方向の両縁部がビス止めされて、一対の前側ＬＥＤライン照明具３２を覆う樋状の前側半円カバー（照明具カバー）３４と、各カバー連結材２１の後側面に幅方向の両縁部がビス止めされて、後側ＬＥＤライン照明具３３を覆う樋状の後側半円カバー（照明具カバー）３５とを有している。
【００２９】
前側ＬＥＤライン照明具３２および後側ＬＥＤライン照明具３３は、縦長な軟質樹脂テープからなる固定基材３６に、その長さ方向に所定間隔で複数のフルカラーＬＥＤ１６が配設されたものである。ここでは、長さ約３ｍの東芝ライテックス社製のシリコンゴムカバー付ＬＥＤが採用されている。なお、エイテックス社製ＬＥＤ，パナソニック社製ＬＥＤも使用することができる。
また、前側半円カバー３４と後側半円カバー３５とは、支柱１２の外周部に前側ＬＥＤライン照明具３２または後側ＬＥＤライン照明具３３を覆うように設けられ、かつ複数のフルカラーＬＥＤ１６からの光を乱反射させるアクリル樹脂系の半透明な（白濁した）カバーである。
調光器１７は、合計４本の前側ＬＥＤライン照明具３２および後側ＬＥＤライン照明具３３に、１対１の関係で照度および彩度を個別に調光し、かつ有線を介して、後述する街中監視装置と電気的に接続されたレシーバである。
【００３０】
次に、図１および図６を参照して、監視制御ステーション１４について説明する。
監視制御ステーション１４は、各街路灯１１が配備された街路の途中に建造された商業ビルの一室に設けられている。この監視制御ステーション１４には、各街路灯１１の前方監視カメラ１３Ａ、後方監視カメラ１３Ｂおよび死角監視用カメラ２９がそれぞれ撮像した動画像を、地中に埋められた有線を通して受信する街中監視装置３７が配備されている。
街中監視装置３７は、各街路灯１１から送信された動画像を管理する画像管理部（画像記憶部）３８と、各動画像をマルチ画面に一括して表示するモニタ３９とを有している。各街路灯１１から送信された動画像は、画像管理部３８によって管理・保管（メモリ記憶）されるとともにモニタ３９の画面に映し出され、各動画像を通して監視者が街中の監視を行う。
また、監視制御ステーション１４には、あらかじめ設定した演出パターンで、各照明部Ｌの複数のフルカラーＬＥＤ１６の明るさ、色彩（色合い）の変更指令を各調光器１７に発するＬＥＤ制御装置４０が設置されている。また、このＬＥＤ制御装置４０は、街路灯１１の周辺の状況を、隣接する街路灯１１の死角監視用カメラ２９によって撮像した画像が鮮明となるように、あらかじめ街路灯１１の照明部Ｌの各フルカラーＬＥＤ１６の照度を調光する機能も有している。
【００３１】
次に、図１〜図７を参照して、これらの街路灯１１を用いたこの考案の実施例１に係る街中監視システム１０による街中監視方法、および、各街路灯１１の照明部Ｌを利用した街路のイルミネーション方法を説明する。まず、街中監視方法を説明する。
図１および図７に示すように、この街中監視システム１０による街中の監視を行う前に、隣接する街路灯１１の死角監視用カメラ２９によって各街路灯１１の直下を含むその周辺（死角領域）を撮像した画像が鮮明になるように、あらかじめ監視制御ステーション１４のＬＥＤ制御装置４０を用いて、各街路灯１１に配された複数のフルカラーＬＥＤ１６の照度を個別に調整する。
【００３２】
以下、これについて詳細に説明する。一般的に、街路灯１１の近くには店舗や自動販売機などの光量が大きい別の光源が存在することが多い。その場合、この街路灯１１の周辺（死角領域）の一部には、通常の部分より光量が大きい箇所が現出してしまう。そのため、この死角領域を撮像する死角監視用カメラ２９には、この別光源からの過剰な光（環境光）も入光することになる。その結果、この環境光が悪影響を及ぼし、死角監視用カメラ２９が撮像した画像の一部にハレーションが発生するおそれがある。これとは反対に、例えばこの街路灯１１の周辺に撤去できない大きな異物が存在する場合、それが影響して、死角監視用カメラ２９により得られた画像の一部に、過度に暗い箇所が発現するおそれがある。
【００３３】
そこで、街路灯１１の設置時などにおいて、あらかじめ街路灯１１の付近を死角監視用カメラ２９によりテスト撮像し、監視制御ステーション１４の大型のモニタ３９の画面を通して、この環境光が悪影響を及ぼして動画像の一部にハレーションが発生したり、その反対に光量不足で暗くなった箇所がないかをチェックする（図７）。そのとき、画像に瑕疵があった場合には、街路灯１１の周辺の状況を鮮明な画像で撮像できるように、監視員がＬＥＤ制御装置４０を操作し、その街路灯１１の調光器１７を利用して各フルカラーＬＥＤ１６の照度を個別に調整する。すなわち、ハレーションを起こしている箇所にあっては、そこに配置された前側ＬＥＤライン照明具３２または後側ＬＥＤライン照明具３３の各フルカラーＬＥＤ１６の照度を、個別に適宜値まで低下させる。また、光量不足により過剰に暗い箇所にあっては、そこに配置された前側ＬＥＤライン照明具３２または後側ＬＥＤライン照明具３３の各フルカラーＬＥＤ１６の照度を、個別に適宜値まで高める。
これにより、死角監視用カメラ２９により撮像した画像は、ハレーション等や暗がりがない鮮明なものとなる。
【００３４】
その後、街中監視システム１０による街中の監視作業を行う（図１）。すなわち、各街路灯１１の前方監視カメラ１３Ａおよび後方監視カメラ１３Ｂにより街中の一区画を撮像し、これらの撮像データを、有線により監視制御ステーション１４に送信する。ここでは、各街路灯１１から送信された動画像が、画像管理部３８によって管理・保管されるとともに、それらの動画像がモニタ３９の画面に分割表示される。監視者は、その画面を通して街中の監視を行う。具体的には、防犯、防災、避難状況、商店街やイベント会場などの賑わい状況、迷子の捜索、徘徊者の捜索、交通渋滞の状況、事故状況などを監視する。その結果、監視制御ステーション１４で街中の監視を総括して行うことができる。また、前方監視カメラ１３Ａおよび後方監視カメラ１３Ｂの死角となる街路灯１１の周辺を、死角監視用カメラ２９により側方から撮像することで、犯人や通行人の顔、身長および服装などの特徴を視認することができる。なお、必要時には、スピーカ３０を通して、犯罪者、通行人などに警報音を発したり、音声で注意喚起する。
このとき、各街路灯１１の死角監視用カメラ２９が、隣接する街路灯１１の死角となる周辺を撮像し、得られた撮像データも監視制御ステーション１４に送信されるため、死角領域のない街中の監視を行うことができる。
【００３５】
また、各街路灯１１の照明部Ｌを利用し、街路に沿ってイルミネーションの演出を行う際には、監視制御ステーション１４に設けられたＬＥＤ制御装置４０を使用し、各街路灯１１の照明部Ｌの各フルカラーＬＥＤ１６を、照度や彩度が変化する所定のＬＥＤ発光演出パターンに則って経時的に発光させる。ＬＥＤ発光演出パターンは任意である。これにより、街中の広範囲でイルミネーションの演出を行うことができる。
【産業上の利用可能性】
【００３６】
この考案は、街路に沿って立設される複数の街路灯を利用し、各街路灯に配設された監視カメラにより街中を監視したり、街路に沿ってイルミネーションを演出する技術として有用である。
【符号の説明】
【００３７】
１０  街中監視システム、
１１  街路灯、
１２  支柱、
１３Ａ  前方監視カメラ（監視カメラ）、
１３Ｂ  後方監視カメラ（監視カメラ）、
１４  監視制御ステーション、
１６  フルカラーＬＥＤ（ＬＥＤ）、
１７  調光器、
２９  死角監視用カメラ、
３２  前側ＬＥＤライン照明具（ＬＥＤライン照明具）、
３３  後側ＬＥＤライン照明具（ＬＥＤライン照明具）、
３４  前側半円カバー（照明具カバー）、
３５  後側半円カバー（照明具カバー）、
３６  固定基材、
４０  ＬＥＤ制御装置、
Ｌ  照明部。
【図１】
0003201743.tif 000003
【図２】
0003201743.tif 000004
【図３】
0003201743.tif 000005
【図４】
0003201743.tif 000006
【図５】
0003201743.tif 000007
【図６】
0003201743.tif 000008
【図７】
0003201743.tif 000009